(57)【要約】【課題】衣類の乾燥シワを抑制する衣類乾燥機を提供すること。【解決手段】本体１内に回転自在に設けられ、回転軸を略水平方向に有し、本体前方側に開口部を有するドラム３と、ドラム３の前方部に設けられ、複数の通風孔を有する内蓋５と、ドラ３ムの開口部を開閉する外蓋７と、内蓋に設けられる衣類検知センサ１５と、ドラム３を駆動するドラム駆動モータ４と、ドラム３内に温風を送る送風手段１１と、ドラム駆動モータ４および送風手段１１を制御する制御手段１４とを備え、内蓋５は、ドラム３と連動回転するようにし、衣類検知センサ１５は衣類の乾燥度合いを検知するようにしたものである。【選択図】図１
2015000200.tif 000002
【特許請求の範囲】
【請求項１】
本体内に回転自在に設けられ、回転軸を略水平方向に有し、本体前方側に開口部を有するドラムと、
前記ドラムの前方部に設けられ、複数の通風孔を有する内蓋と、
前記ドラムの開口部を開閉する外蓋と、
前記内蓋に設けられる衣類検知センサと、
前記ドラムを駆動するドラム駆動モータと、
前記ドラム内に温風を送る送風手段と、
前記ドラム駆動モータおよび送風手段を制御する制御手段とを備え、
前記内蓋は、前記ドラムと連動回転するようにし、前記衣類検知センサは衣類の乾燥度合いを検知するようにした衣類乾燥機。
【請求項２】
制御手段は、衣類が乾いていると判定した場合、ドラム回転を停止し、再度ドラムを回転させるようにした請求項１記載の衣類乾燥機。
【請求項３】
制御手段は、衣類が湿っていると判定した場合、衣類の湿り度の大小に応じて、ドラム回転の継続時間を変化させるようにした請求項１記載の衣類乾燥機。
【発明の詳細な説明】
【技術分野】
【０００１】
本発明は、ドラム内で衣類等を乾燥させる衣類乾燥機に関するものである。
【背景技術】
【０００２】
従来の洗濯乾燥機（例えば、特許文献１）は、図４に示すように、外箱１０２に内蔵される水槽１０５と、水槽１０５内で回転可能に支持されるドラム１０７と、ドラム１０７を回動させるモータ１１２と、ドラム１０７内に回転可能に設けられる揺動ディスク１１１とを備える全自動洗濯乾燥機において、乾燥工程時に、揺動ディスク１１１を、ドラム１０７の正逆回転に対して回転自在するか、ドラム１０７の正逆回転に抗して固定する。
【０００３】
揺動ディスク１１１には洗濯工程や乾燥工程において洗濯物を攪拌するための突起１１１ａが複数個設けられ、また乾燥工程において乾燥用循環風が通過する揺動ディスク循環風孔Ｈ１、Ｈ２、・・・Ｈｎが多数設けられている。または、乾燥工程時に、ドラム１０７をタンブリングの臨界回転数以上で回転するノンタンブリング乾燥を行う場合に、恒率乾燥期に所定の温度上昇を検出すると、ドラム１０７の回転数を該臨界回転より低くして数回転タンブリングさせることもできる。
【０００４】
以上の構成で、乾燥工程時に、揺動ディスク１１１をドラム１０７の正逆回転に対して回転自在にしたり、ドラム１０７の正逆回転に抗して固定したりすることにより、ドラム１０７内の洗濯物が高温になったり過乾燥になったりすることもなく、乾燥ムラが生じることを防止できる。
【先行技術文献】
【特許文献】
【０００５】
【特許文献１】特開平１０−１２７９９３号公報
【発明の概要】
【発明が解決しようとする課題】
【０００６】
しかしながら、前記従来の洗濯乾燥機は、揺動ディスクがドラムに対して回転自在に設けられているため、乾燥ムラが生じることを防止できたが、攪拌される衣類が循環風で揺動ディスクに張り付けられる作用により、衣類が伸ばされた状態で乾燥させ、乾燥シワを抑制することは困難であった。本発明は、このような従来の課題を解決するもので、衣類の乾燥シワを抑制することを目的とする。
【課題を解決するための手段】
【０００７】
前記従来の課題を解決するために、本発明の衣類乾燥機において、本体内に回転自在に設けられ、回転軸を略水平方向に有し、本体前方側に開口部を有するドラムと、前記ドラムの前方部に設けられ、複数の通風孔を有する内蓋と、前記ドラムの開口部を開閉する外蓋と、前記内蓋に設けられる衣類検知センサと、前記ドラムを駆動するドラム駆動モータと、前記ドラム内に温風を送る送風手段と、前記ドラム駆動モータおよび送風手段を制御する制御手段とを備え、前記内蓋は、前記ドラムと連動回転するようにし、前記衣類検知センサは衣類の乾燥度合いを検知するようにした衣類乾燥機である。
【発明の効果】
【０００８】
本発明の洗濯乾燥機は、ドラムに対して連動回転し、複数の通風口を有する内蓋にドラム内の衣類が張り付けられる作用を有し、さらには衣類検知センサが内蓋に衣類が張りつけられていることを検知して、衣類の乾燥シワを抑制することができる。
【図面の簡単な説明】
【０００９】
【図１】本発明の実施の形態１における洗濯乾燥機の概略構成図
【図２】同洗濯乾燥機の作用を表す概略構成図
【図３】同洗濯乾燥機の内蓋表面の一例を表す概略図
【図４】従来の洗濯乾燥機の概略構成図
【発明を実施するための形態】
【００１０】
第１の発明は、本体内に回転自在に設けられ、回転軸を略水平方向に有し、本体前方側に開口部を有するドラムと、前記ドラムの前方部に設けられ、複数の通風孔を有する内蓋と、前記ドラムの開口部を開閉する外蓋と、前記内蓋に設けられる衣類検知センサと、前記ドラムを駆動するドラム駆動モータと、前記ドラム内に温風を送る送風手段と、前記ドラム駆動モータおよび送風手段を制御する制御手段とを備え、前記内蓋は、前記ドラムと連動回転するようにし、前記衣類検知センサは衣類の乾燥度合いを検知するようにしたことにより、内蓋にドラム内の衣類が張り付けられる作用を有するため、衣類の形状が内蓋によって平坦に保たれたまま乾燥され、衣類検知センサにより衣類が内蓋に張り付けられることを検知するため、衣類の乾燥シワを抑制することができる。
【００１１】
第２の発明は、特に、第１の発明の制御手段は、衣類が乾いていると判定した場合、ドラム回転を停止し、再度ドラムを回転させるようにしたことにより、運転中にドラム内の衣類が内蓋に張り付く割合を大きくすることができ、つまり、衣類の形状が内蓋によって平坦に保たれたまま乾燥される時間が長くでき、乾燥シワを抑制することができる。
【００１２】
第３の発明は、特に、第１の発明の制御手段は、衣類が湿っていると判定した場合、衣類の湿り度の大小に応じて、ドラム回転の継続時間を変化させるようにしたことにより、運転中にドラム内の湿り度の大きい衣類が内蓋に張り付く割合を大きくすることができ、つまり、湿り度の大きい衣類の形状が内蓋によって平坦に保たれたまま乾燥される時間が長くでき、乾燥シワを抑制することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における洗濯乾燥機の概略構成図を示すものである。
なお、ここでいう洗濯乾燥機は、洗濯機能を有さない衣類乾燥機であってもよい。
【００１５】
図１において、洗濯乾燥機の本体１内に水槽２が設けられ、水槽２内にドラム３が回転可能に設けられ、後面に取り付けたドラム駆動モータ４によって回転駆動される。ドラム駆動モータ４はブラシレス直流モータで構成され、インバータ制御によって回転速度および回転方向が自在に変化させることができるようになっている。ドラム３は、略有底円筒状に形成され、その回転軸３ａは本体１に対して斜め方向（または水平方向）に設定されている。
【００１６】
ドラム３の本体１前方側にドラム３に対して連動回転する内蓋５が設けてあり、ドラム３の本体１前方側に衣類６等を出し入れする開口部が設けてあり、開閉自在な外蓋７と内蓋５は連動して開閉することができる。なお、内蓋５は着脱自在に構成され、洗濯乾燥機の運転開始前に、使用者が手動で取り付ける構成であってもよい。
【００１７】
衣類検知センサ１５は電極対で構成され、内蓋５の表面に接触する衣類６の表面抵抗値
を検知するように、電極対の一方が内蓋５の半径の中点より外周に近い円周方向に沿って設けられ、電極対の他方が内蓋５の半径の中点より内周に近い円周方向に沿って設けられる。または電極対の他方は内蓋５の中心に略円形に設けられていてもよい。
【００１８】
電極対で構成される衣類検知センサ１５が円周方向または円形に構成されることにより、運転中にドラム３と連動回転する内蓋に設けられる衣類検知センサ１５に、固定部である外蓋７に設けられた導電性の信号伝達手段を接触させることにより、衣類検知センサ１５と制御手段１４を電気的に繋ぐことができるように構成されている。
【００１９】
内蓋５および外蓋７は、洗濯乾燥機の使用者がドラム３内の衣類６に対して、視認性を確保できるように透明素材で構成されている。ドラム３の内周側面には、衣類６等を撹拌するバッフル８が複数突設してあり、ドラム３の回転によって衣類６等がバッフル８で持ち上げられ、ドラム３内で撹拌される。また内蓋５にはドラム３内の温風を水槽２内に排気する複数の通風孔９が設けられている。
【００２０】
水槽２から排気された湿った温風を除湿し、加熱する除湿加熱手段１０は本体１内の上方部に設けられており、温風を循環させる送風手段１１は本体１内の後方上方部に設けられている。
【００２１】
ドラム３への温風吹出口１２は、本体１の後方側に設けられ、ドラム３内の温風を除湿加熱手段１０へ循環させる水槽２からの排気口１３は本体１の前方上方部に設けられている。
【００２２】
制御手段１４は、本体１内の前方上方部に配設されており、ドラム駆動モータ４および温風の温度や除湿量を調整する除湿加熱手段１０、ドラム３内に送風される温風の送風量を調整する送風ファン等の送風手段１１を制御する。
【００２３】
以上のように構成された洗濯乾燥機について、以下にその動作、作用を説明する。
【００２４】
乾燥運転の開始により、ドラム３がドラム駆動モータ４によって所定の回転数で回転し、ドラム３内に所定温度の温風が送風される。ドラム３内に投入された湿った衣類６は、ドラム３の回転動作によりバッフル８によって上方へ持ち上げられて撹拌され、温風との接触により水分が除去されて乾燥が進行する。
【００２５】
ドラム３後方の温風吹出口１２からドラム３内に送風された温風の大部分は、ドラム３前方の内蓋５の複数の通風孔９に流れる構成である。なお、制御手段１４によりドラム駆動モータ４および送風手段１１を制御することにより、ドラム３に送風された温風の大部分を内蓋５の複数の通風孔９に流す作用を有してもよい。
【００２６】
衣類６と接触した後の温風は内蓋５の複数の通風孔９を流れ、水槽２に排気され、水槽２から排気された温風は除湿加熱手段１０を通過することにより、除湿および再加熱され、再び送風手段１１を介してドラム３内へ温風が送風される。
【００２７】
また内蓋５がドラム３およびバッフル８と連動回転することにより、内蓋５に張り付けられた衣類６がバッフル８により、攪拌されることなく張り付いた状態を長時間保持できる。
【００２８】
また内蓋５がドラム３およびバッフル８と連動回転することにより、ドラム３内の複数の衣類６がドラム３前後の回転位相差により、捩れたり絡んだりすることを防止できる。
【００２９】
制御手段１４は、衣類検知センサ１５からの出力信号（すなわち衣類６の表面抵抗値）を受信し、ドラム駆動モータ４、ヒートポンプ等の除湿加熱手段１０、送風ファン等の送風手段１１を制御する。
【００３０】
衣類検知センサ１５は、内蓋５の表面に接触する衣類６の表面抵抗値の大小に応じて、出力信号の大小が変化するように構成されている。
【００３１】
制御手段１４は、衣類検知センサ１５の出力信号があらかじめ有している乾燥判定値より大きい場合、内蓋５の表面に接触する衣類６は乾いている、または、内蓋５の表面に衣類６が張り付けられていないと判定し、ドラム回転を一時停止し、再起動することを運転中に継続することにより、運転中にドラム３内の湿った衣類が内蓋に張り付く割合を大きくすることができ、つまり、衣類６の形状が内蓋によって平坦に保たれたまま乾燥される時間が長くでき、乾燥シワを抑制することができる。
【００３２】
制御手段１４は、衣類検知センサ１５の出力信号があらかじめ有している乾燥判定値より小さい場合、内蓋５の表面に張り付けられた衣類６が湿っていると判定し、内蓋５の表面に張り付けられた衣類６の湿り度の大小に応じて、判定時のドラム駆動モータ４の回転継続時間の大小を変化させることにより、運転中に自動的にドラム３内の湿った衣類６が内蓋５に張り付く割合を大きくすることができ、すなわち、衣類６の湿り度が高いと判定した場合には、ドラム回転を継続させて内蓋５の表面に湿った衣類６を張り付けて乾燥させ、衣類６の湿り度が低いと判定した場合には、ドラム回転を一時停止し、再起動することを運転中に継続することにより、運転中にドラム３内の湿った衣類が内蓋に張り付く割合を大きくする。
【００３３】
これにより、湿った衣類６の形状が内蓋５によって平坦に保たれたまま乾燥される時間が長くでき、乾燥シワを抑制することができる。
【００３４】
図２は、本発明の第１の実施の形態における洗濯乾燥機おける作用を概略的に表しており、ドラム３内の衣類６は温風が内蓋５の複数の通風孔９から水槽２内へ排気されることにより、内蓋５の略全体に対して張り付くように作用する。
【００３５】
内蓋５に湿った衣類が張り付いている場合、衣類検知センサ１５の出力信号があらかじめ有している乾燥判定値より小さいため、制御手段１４は湿った衣類６が内蓋５に張り付いていると判定する。
【００３６】
図３は、本発明の第１の実施の形態における洗濯乾燥機における内蓋表面の一例を表しており、複数の通風孔９は、内蓋５の中心より外周に近い円周方向に沿って、略均等に設けられる構成を有し、ドラム３内の衣類６は温風が内蓋５の複数の通風孔９から水槽２内へ排気されることにより、内蓋５の略全体に対して張り付くように作用する。
【００３７】
衣類検知センサ１５は電極対で構成され、内蓋５の表面に接触する衣類６の表面抵抗値を検知するように、電極対の一方が内蓋５の半径の中点より外周に近い円周方向に沿って設けられ、電極対の他方が内蓋５の半径の中点より内周に近い円周方向に沿って設けられる。または電極対の他方は内蓋５の中心に略円形に設けられる。
【００３８】
内蓋５に湿った衣類が張り付いている場合、衣類検知センサ１５の出力信号があらかじめ有している乾燥判定値より小さいため、制御手段１４は湿った衣類が内蓋５に張り付いていると判定する。
【００３９】
以上のように、本発明の洗濯乾燥機は、ドラム３は本体１前方側に開口部を有し、ドラ
ム３の前方部に内蓋５を設け、内蓋５に衣類検知センサ１５を設け、内蓋５は複数の通風孔９を有し、かつ、ドラム３と連動回転するようにしたことにより、複数の通風孔９を有する内蓋５にドラム２内の湿った衣類６が張り付けられる作用を有し、湿った衣類６が張り付けられることを判定するため、衣類６の乾燥シワを抑制することができる。
【産業上の利用可能性】
【００４０】
以上のように、本発明にかかる衣類乾燥機は、乾燥運転中に複数の通風口を有する内蓋にドラム内の湿った衣類が張り付けられる作用を有し、衣類が張り付けられることを判定するため、衣類の乾燥シワを抑制することができ、衣類乾燥機として有用である。
【符号の説明】
【００４１】
１  本体
２  水槽
３  ドラム
４  ドラム駆動モータ
５  内蓋
９  複数の通風孔
１０  除湿加熱手段
１１  送風手段
１４  制御手段
１５  衣類検知センサ
【図１】
2015000200.tif 000003
【図２】
2015000200.tif 000004
【図４】
2015000200.tif 000005
【図３】
2015000200.tif 000006